(57)【要約】【課題】複写機で再現容易に構成された潜像と複写機で再現困難に構成された背景とがインクジェットインキで構成された構成においてもモアレの発生を抑制する。【解決手段】複写機で再現容易に構成された潜像１０と、複写機で再現困難に構成された背景２０とが、インクジェットインキで構成されてなる偽造防止印刷物１において、背景２０が、第１の径を有する複数の背景用ドットがランダムに配置されて構成され、潜像１０が、第１の径よりも大きな第２の径を有する複数の潜像用ドットが等間隔に配置されて構成されている。【選択図】図１
2019093607.tif 000002
【特許請求の範囲】
【請求項１】
複写機で再現容易に構成された潜像と、複写機で再現困難に構成された背景とが、インクジェットインキで構成されてなる偽造防止印刷物であって、
前記背景は、第１の径を有する複数の背景用ドットがランダムに配置されて構成され、
前記潜像は、前記第１の径よりも大きな第２の径を有する複数の潜像用ドットが等間隔に配置されて構成されている、偽造防止印刷物。
【請求項２】
請求項１に記載の偽造防止印刷物において、
前記背景用ドット及び前記潜像用ドットが、可変印刷によって配置されている、偽造防止印刷物。
【請求項３】
請求項１または請求項２に記載の偽造防止印刷物の製造方法であって、
前記背景の印刷領域内に、前記潜像及びその周辺の背景からなる背景付き潜像を嵌め込むための嵌め込み領域を有する電子版を形成する工程と、
前記電子版の前記嵌め込み領域に、前記潜像に応じた背景付き潜像を嵌め込む工程と、
前記電子版を用いて潜像及び背景を印刷する工程と、を有する、偽造防止印刷物の製造方法。
【発明の詳細な説明】
【技術分野】
【０００１】
本発明は、複写機で再現容易に構成された潜像と、複写機で再現困難に構成された背景とが印刷されてなる偽造防止印刷物に関し、特に、潜像と背景とがインクジェットインキで構成されてなる偽造防止印刷物に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、複写機で再現容易に構成された潜像と、複写機で再現困難に構成された背景とが印刷されて構成された偽造防止印刷物が、特許文献１に開示されている。特許文献１に開示された技術においては、潜像と背景とで、それらを構成するドットの大きさと線数を互いに異ならせることで、複写機で複写した場合に背景のみがドロップアウトし、それにより、潜像が再現されることになる。
【先行技術文献】
【特許文献】
【０００４】
【特許文献１】特許第５２１５６５４号公報
【発明の概要】
【発明が解決しようとする課題】
【０００５】
ところで、インクジェットインキでシート媒体上に情報を形成するインクジェット方式においては、近年その印刷技術が向上し、様々な用途に用いられている。インクジェット方式は、可変印刷が容易なことから、印刷する情報が変更される可能性が高いものにおいては、特に利用価値が高いものと言える。また、印刷版を使用しないことから簡易な設備で印刷することができるため、利用の用途が広がっている。
【０００６】
一方、上述したような潜像と背景とからなる偽造防止印刷物においては、その線数が多く、かつドットが規則正しく配置されている場合、モアレが発生しやすくなってしまう。このようなモアレの発生は、潜像と背景を印刷版を用いて印刷する場合は、その印刷版の微細な調整をすることで抑制することができるものの、インクジェット方式においては、ドットの印刷位置の微細な調整が困難であるため、モアレの発生を抑制しにくいという問題点がある。
【０００７】
本発明は、上述したような従来の技術が有する問題点に鑑みてなされたものであって、複写機で再現容易に構成された潜像と複写機で再現困難に構成された背景とがインクジェットインキで構成された構成においてもモアレの発生を抑制することができる偽造防止印刷物及びその製造方法を提供することを目的とする。
【課題を解決するための手段】
【０００８】
上記目的を達成するために本発明は、
複写機で再現容易に構成された潜像と、複写機で再現困難に構成された背景とが、インクジェットインキで構成されてなる偽造防止印刷物であって、
前記背景は、第１の径を有する複数の背景用ドットがランダムに配置されて構成され、
前記潜像は、前記第１の径よりも大きな第２の径を有する複数の潜像用ドットが等間隔に配置されて構成されている。
【０００９】
上記のように構成された本発明においては、背景を構成する背景用ドットの径が、潜像を構成する潜像用ドットの径よりも小さいことから複数の背景用ドットを密に形成した場合、モアレが発生してしまう可能性があるが、背景が、背景用ドットがランダムに配置されて構成されているので、潜像及び背景がインクジェット方式におけるインクジェットインキで構成されることで背景用ドットの印刷位置を微細に制御することができない場合でも、モアレの発生が抑制されることになる。また、潜像においては、複数の潜像用ドットが等間隔で配置されているものの、潜像用ドットの径が背景用ドットの径よりも大きいことから、モアレが発生しない程度の密度で潜像用ドットを配置することにより、モアレの発生が抑制されることになる。
【００１０】
また、背景用ドット及び潜像用ドットを可変印刷によって配置することで、多種の潜像に応じた偽造防止印刷物が容易に実現されることになる。
【００１１】
また、上述した偽造防止印刷物の製造方法として、背景の印刷領域内に、潜像及びその周辺の背景からなる背景付き潜像を嵌め込むための嵌め込み領域を有する電子版を形成する工程と、電子版の嵌め込み領域に潜像に応じた背景付き潜像を嵌め込む工程と、電子版を用いて潜像及び背景を印刷する工程と、を有するものを用いれば、潜像に応じた背景付き潜像を電子版の嵌め込み領域に嵌め込むだけで、偽造防止印刷物が容易に実現されることになる。
【発明の効果】
【００１２】
本発明よれば、複写機で再現容易に構成された潜像と、複写機で再現困難に構成された背景とがインクジェットインキで構成されてなる偽造防止印刷物において、背景が、第１の径を有する複数の背景用ドットがランダムに配置されて構成され、潜像が、第１の径よりも大きな第２の径を有する複数の潜像用ドットが等間隔に配置されて構成されているため、潜像及び背景がインクジェット方式においてインクジェットインキで構成されたものにおいてもモアレの発生を抑制することができる。
【図面の簡単な説明】
【００１３】
【図１】本発明の偽造防止印刷物の実施の一形態を示す図である。
【図２】図１に示した偽造防止印刷物の潜像を構成するパターンを示す図である。
【図３】図１に示した偽造防止印刷物の背景を構成するパターンを示す図である。
【図４】図１に示した偽造防止印刷物の地紋を構成するパターンを示す図である。
【図５】図１に示した偽造防止印刷物における潜像及び背景の詳細な構成を示す図であり、（ａ）は図１中Ａ部の拡大図、（ｂ）は（ａ）に示した潜像用ドットの構成を示す図である。
【図６】図５（ａ）に示した領域を実際に拡大して撮影した画像である。
【図７】図１に示した偽造防止印刷物の製造方法を説明するための図である。
【図８】図１に示した偽造防止印刷物を複写機で複写した複写物を示す図である。
【発明を実施するための形態】
【００１４】
以下に、本発明の実施の形態について図面を参照して説明する。
【００１５】
図１は、本発明の偽造防止印刷物の実施の一形態を示す図である。図２は、図１に示した偽造防止印刷物１の潜像１０を構成するパターンを示す図、図３は、図１に示した偽造防止印刷物１の背景２０を構成するパターンを示す図、図４は、図１に示した偽造防止印刷物１の地紋３０を構成するパターンを示す図である。
【００１６】
本形態は図１に示すように、ベース基材となるインクジェット用紙２の一方の面に、潜像１０と背景２０と地紋３０とがインクジェット方式でインクジェットインキを用いて可変印刷されて構成された偽造防止印刷物１である。これにより、潜像１０と背景２０と地紋３０とは、インクジェットインキで構成されたものとなっている。
【００１７】
潜像１０は図２に示すように、偽造防止印刷物１を複写機で複写した場合に浮き上がる文字の形状からなる潜像パターン１１に印刷されており、本形態では、“コピー”の文字の形状からなる潜像パターン１１に印刷されている。
【００１８】
背景２０は図３に示すように、潜像１０の周囲の領域において、潜像１０を抜いてなる背景パターン２１に印刷されており、本形態では、潜像１０の周囲の領域において、“コピー”の文字の形状が抜かれてなる背景パターン２１に印刷されている。
【００１９】
地紋３０は図４に示すように、潜像１０と背景２０とを含む領域の全面に、所定の地紋パターン３１に印刷されている。
【００２０】
なお、背景２０及び地紋３０は、インクジェット用紙２の潜像１０が印刷された面のうち、背景２０においては、潜像１０の周囲の領域において潜像１０が抜かれた形状に印刷されていればよく、また、地紋３０においては、潜像１０と背景２０とを含む領域の全面に印刷されていればよく、いずれも、インクジェット用紙２の潜像１０が印刷された面の全面に印刷されている必要はない。
【００２１】
ここで、潜像１０及び背景２０の詳細な構成について説明する。
図５は、図１に示した偽造防止印刷物１における潜像１０及び背景２０の詳細な構成を示す図であり、（ａ）は図１中Ａ部の拡大図、（ｂ）は（ａ）に示した潜像用ドット１２の構成を示す図である。図６は、図５（ａ）に示した領域を実際に拡大して撮影した画像である。
【００２２】
図１に示した偽造防止印刷物１は図５（ａ）及び図６に示すように、複数の潜像用ドット１２から潜像１０が構成され、複数の背景用ドット２２から背景２０が構成されている。
【００２３】
背景２０を構成する背景用ドット２２は、第１の径ｄ１を有し、互いの間隔がランダムとなって配置されている。背景用ドット２２の形状は、インクジェット方式のプリンタにおいてインクヘッドから吐出された液滴に応じたものであり、インクヘッドから吐出された液滴がインクジェット用紙に着弾することで、円形または楕円形に近いものとなっている。そして、その中心を通る最も長い径をｄ１とする。背景用ドット２２は、インクジェット方式のプリンタのインクヘッドから吐出された液滴１つ１つであることから、複写機で複写した場合に再現が困難なものとなっているとともに、その間隔がランダムなものとなっている。なお、背景２０の濃度は、例えば、背景２０における背景用ドット２２の割合を１２％〜２０％程度とすることが考えられるが、この割合を変えることで背景２０の濃度が変化することになる。その際、背景２０の濃度が変化すると背景用ドット２２の互いの間隔は変化するものの、上述したように、背景用ドット２２が、インクジェット方式のプリンタのインクヘッドから吐出された液滴１つ１つであることから、その間隔がランダムなものであることには変わりはない。
【００２４】
潜像１０を構成する潜像用ドット１２は、背景用ドット２２の径ｄ１よりも大きな第２の径ｄ２を有し、互いの間隔ｔが等間隔となって配置されている。潜像１０の濃度は、潜像１０の線数と、潜像１０における潜像用ドット１２の割合すなわち潜像用ドット１２の大きさとによって決まるが、その場合でも、潜像用ドット１２は、背景用ドット２２の径ｄ１よりも大きな第２の径ｄ２を有し、互いの間隔ｔが等間隔となって配置されている。ここで、潜像用ドット１２は、背景用ドット２２のように、インクジェット方式のプリンタのインクヘッドから吐出された液滴１つ１つではなく、図５（ｂ）に示すように、インクジェット方式のプリンタのインクヘッドから吐出された液滴１つ１つからなる背景用ドット２２の集合によって形成され、それにより、潜像用ドット１２は、背景用ドット２２の径ｄ１よりも大きな第２の径ｄ２を有し、複写機で複写した場合に再現が容易なものとなっている。そのため、インクジェット方式で潜像用ドット１２を印刷する際、インクジェット方式の印刷によることで背景用ドット２２の印刷位置にずれが生じたとしても、１つの潜像用ドット１２としては、そのずれが目立たなくなり、それにより、複数の潜像用ドット１２の間隔を等間隔なものとすることができ、潜像１０の印刷領域全体における潜像用ドット１２の割合のばらつきが抑制されることになる。例えば、図５（ｂ）に示す背景用ドット２２−１，２２−２のいずれも、インクジェット方式の印刷によることで、潜像用ドット１２を形成すべき位置Ｘに対して大きくずれているものの、複数の背景用ドット２２の集合から１つの潜像用ドット１２を形成することで、潜像用ドット１２の中心がＸから大きくずれることがなくなり、複数の潜像用ドット１２の間隔を等間隔なものとすることができる。それにより、例えば、線数が６５線／１インチであって、潜像用ドット１２の大きさによる潜像１０における潜像用ドット１２の割合が６％〜９％となる潜像１０を表現することができる。なお、径ｄ２は、潜像用ドット１２をノギスで挟むようにして測定したものであるが、どの位置で挟んだとしても、潜像用ドット１２は背景用ドット２２の集合によって形成されていることから、背景用ドット２２の径ｄ１よりも大きなものとなっている。
【００２５】
このように潜像用ドット１２が配置されてなる潜像１０と、背景用ドット２２が配置されてなる背景２０とを含む領域の全面に地紋３０が形成されている。それにより、潜像用ドット１２及び背景用ドット２２は、地紋３０が配置される領域には形成されていないことになる。
【００２６】
上記のように構成された偽造防止印刷物１においては、背景２０を構成する背景用ドット２２の径が、潜像１０を構成する潜像用ドット１２の径よりも小さく、背景用ドット２２が複写機で複写した場合に再現が困難なものであることから複数の背景用ドット２２を密に形成した場合、モアレが発生してしまう可能性があるが、背景２０が、背景用ドット２２がランダムに配置されて構成されているので、背景２０がインクジェットインキを用いてインクジェット方式で印刷されることで背景用ドット２２の印刷位置を微細に制御することができない場合でも、モアレの発生を抑制することができる。また、潜像１０においては、複数の潜像用ドット１２が等間隔で配置されているものの、潜像用ドット１２の径が背景用ドット２２の径よりも大きいことから、モアレが発生しない程度の密度で潜像用ドット１２を配置することにより、モアレの発生を抑制することができる。
【００２７】
以下に、上記のように構成された偽造防止印刷物１の製造方法について説明する。
図７は、図１に示した偽造防止印刷物１の製造方法を説明するための図である。
図１に示した偽造防止印刷物１を製造する場合、まず、図７（ａ）に示すように、嵌め込み領域４を有し、背景２０と地紋３０とを形成するための電子版３を形成する。この電子版３は、背景２０の印刷領域内において、潜像１０及びその周辺の領域を除いた領域に背景用ドット２２をインクジェット方式によって吐出することで背景２０を形成するとともに地紋３０を形成するためのものである。そのため、潜像１０及びその周辺の領域が嵌め込み領域４となって除かれている。
【００２８】
次に、図７（ｂ）に示すように、潜像１０を構成する潜像文字１０ａ〜１０ｃ毎に、潜像文字１０ａ〜１０ｃ及びその周辺の背景からなる背景付き潜像５ａ〜５ｃを電子版３の嵌め込み領域４に嵌め込む。
その後、背景付き潜像５ａ〜５ｃが嵌め込み領域４に嵌め込まれた電子版３を用いて、潜像１０、背景２０及び地紋３０を印刷し、図１に示した偽造防止印刷物１を完成させる。
【００２９】
このように、嵌め込み領域４を有する電子版３を用い、この嵌め込み領域４に、潜像１０に応じた背景付き潜像５ａ〜５ｃを嵌め込むことで、可変印刷によって潜像用ドット１２及び背景用ドット２２を配置することになる。
【００３０】
以下に、上記のようにして製造された偽造防止印刷物１の作用について説明する。
図８は、図１に示した偽造防止印刷物１を複写機で複写した複写物を示す図である。
図１に示した偽造防止印刷物１を複写機で複写すると、背景２０を構成する背景用ドット２２が上述したように再現が困難なものであることからドロップアウトし、潜像１０を構成する潜像用ドット１２が上述したように再現が容易なものであることから、潜像１０が再現されることになる。それにより、図８に示すように、複写機で複写された複写物６においては、“コピー”からなる潜像１０のみが再現され、複写物６の不正使用を防止することができる。
【００３１】
なお、潜像用ドット１２及び背景用ドット２２の色は、シアン、マゼンダ、イエロー、ブラックのいずれでも構わないが、このうちブラックが複写機で複写した場合の再現性が最も高いため、ブラックを用いて潜像１０及び背景２０を印刷することが好ましい。その場合でも、潜像用ドット１２の色と背景用ドット２２の色とは、偽造防止印刷物１を視認した際に潜像１０と背景２０とを区別しにくくするために同色であることが好ましい。さらに、地紋３０以外の領域にシアン、マゼンダ、イエロー等の色を重ねておいてもよい。
【符号の説明】
【００３２】
１    偽造防止印刷物
２    インクジェット用紙
３    電子版
４    嵌め込み領域
５ａ〜５ｃ    背景付き潜像
６    複写物
１０    潜像
１０ａ〜１０ｃ    潜像文字
１１    潜像パターン
１２    潜像用ドット
２０    背景
２１    背景パターン
２２，２２−１，２２−２    背景用ドット
３０    地紋
３１    地紋パターン
【図１】
2019093607.tif 000003
【図２】
2019093607.tif 000004
【図３】
2019093607.tif 000005
【図４】
2019093607.tif 000006
【図５】
2019093607.tif 000007
【図６】
2019093607.tif 000008
【図７】
2019093607.tif 000009
【図８】
2019093607.tif 000010